(57)【要約】【課題】高温障害を抑制し、かつ害虫の発生を抑えて害虫による作物の被害を低減させて作物を栽培する方法を提供する。【解決手段】マルチフィルムで被覆した畝で作物を栽培する方法において、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下であるポリオレフィン製フィルムを設けて作物を栽培する方法。【選択図】  図１
2004337058.tif 000002
【特許請求の範囲】
【請求項１】
マルチフィルムで被覆した畝で作物を栽培する方法において、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下であるポリオレフィン製フィルムを設けて作物を栽培する方法。
【請求項２】
作物がいちごであることを特徴とする請求項１に記載の作物を栽培する方法。
【請求項３】
マルチフィルムで被覆した畝で作物を栽培するための農業用施設において、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下であるポリオレフィン製フィルムを設けてなる農業用施設。
【発明の詳細な説明】
【０００１】
【発明の属する技術分野】
本発明はマルチフィルムで被覆した畝で作物を栽培する方法および農業用施設に関する。
【０００２】
【従来の技術】
作物を栽培する方法として、農業用ハウスやトンネル内にあるマルチフィルムで被覆した畝で作物を栽培する方法は一般的に行なわれている。しかしながら従来のハウスやトンネル内でマルチフィルムを用いて作物を栽培する方法では、春から夏にかけての高温時期におこる高温障害を抑制すること、および害虫の発生を抑えて害虫による作物の被害を低減させて作物を栽培することは困難であった。
【０００３】
【発明が解決しようとする課題】
本発明は高温障害を抑制し、かつ害虫の発生を抑えて害虫による作物の被害を低減させるて作物を栽培する方法、およびこのような方法で作物を栽培するための農業用施設を提供する。
【０００４】
【課題を解決するための手段】
すなわち本発明は、マルチフィルムで被覆した畝で作物を栽培する方法において、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下であるポリオレフィン製フィルムを設けて作物を栽培する方法である。
また本発明は、マルチフィルムで被覆した畝で作物を栽培するための農業用施設において、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下であるポリオレフィン製フィルムを設けて作物を栽培するための農業用施設である。
【０００５】
【発明の実施の形態】
本発明の作物の栽培方法においては、片面が白色で他面が黒色であるマルチフィルムの黒色面を畝側にして被覆する。マルチフィルムは片面が白色で他面が黒色であればその他の構成について限定するものではなく、例えば白色層と黒色層の２層構成であってもよく、白色層と黒色層との間に他の層を有していてもよい。マルチフィルムを構成する樹脂やフィルム厚み、フィルムの製造方法などは特に限定されるものではない。
【０００６】
マルチフィルムは、黒色面を畝側にして畝を被覆する。黒色面を畝側にすることによって、太陽光線を反射し、地温の上昇を防止すると同時に、雑草の生育を妨げる効果がある。また白色面によって光線が反射されることにより、施設内が明るくかつ乾燥するため、灰色カビやウドンコ病の発生を抑えることができる。
【０００７】
マルチフィルムで被覆された畝で作物を栽培する際には、マルチフィルムに植付け用の切込みを入れ、該切込み部から畝に作物の種をまき、あるいは苗を植えて作物を栽培する。切込み形状は特に限定されるものではないが、通常クロス状である。クロスの中心で作物を栽培することにより、作物とマルチフィルムとの間の隙間を小さくすることができるため、雑草の生育を抑えることができ、かつ圃場からの害虫の侵入を効果的に防止することができる。
【０００８】
マルチフィルムは、予め切込みの入ったマルチフィルムを用いてもよいが、切込みなしのマルチフィルムを用い、該マルチフィルムで畝を被覆した後にカッターなどによって切込みを入れることが、栽培する作物の間隔に適宜合わせることができるため好ましい。
【０００９】
本発明の作物の栽培方法においては、上記したようなマルチフィルムで被覆した畝および該畝で栽培する作物を覆うように、ポリオレフィン製フィルムを設ける。ポリオレフィン製フィルムは、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下のフィルムである。
【００１０】
本発明におけるポリオレフィン製フィルムは、１枚であってもよく、２枚以上のポリオレフィン製フィルムを組み合わせて用いてもよい。ポリオレフィン製フィルムが１枚である場合には、該ポリオレフィン製フィルムは孔径０．１〜５ｍｍの孔を孔の全面積が１ｍ２あたり０．００１〜０．３ｍ２となるように有しており、Ｈａｚｅが１５％以上、全光線透過率が９５％以下、３２５ｎｍの光線透過率が８５％以下のフィルムである。
ポリオレフィン製フィルムが２枚以上である場合は、全てのポリオレフィン製フィルムが孔径０．１〜５ｍｍの孔を孔の全面積が１ｍ２あたり０．００１〜０．３ｍ２となるように有していることが必要である。そして用いる全てのポリオレフィン製フィルムを重ねたときに、Ｈａｚｅが１５％以上、全光線透過率が９５％以下、３２５ｎｍの光線透過率が８５％以下であればよい。
【００１１】
例えば２枚のポリオレフィン製フィルムを用いる場合には、一方のポリオレフィン製フィルムが孔径０．１〜５ｍｍの孔を孔の全面積が１ｍ２あたり０．００１〜０．３ｍ２となるように有しており、Ｈａｚｅが１５％以上、全光線透過率が９５％以下、３２５ｎｍの光線透過率が８５％より高いフィルムであり、他方のポリオレフィン製フィルムが孔径０．１〜５ｍｍの孔を孔の全面積が１ｍ２あたり０．００１〜０．３ｍ２となるように有しており、Ｈａｚｅが１５％より低く、全光線透過率が９５％より高く、３２５ｎｍの光線透過率が８５％以下のフィルムであってもよい。
【００１２】
コストの観点から、ポリオレフィン製フィルムは１枚であることが好ましい。また図２に示すように、孔径０．１〜５ｍｍの孔を孔の全面積が１ｍ２あたり０．００１〜０．３ｍ２となるように有しており、Ｈａｚｅが１５％以上、全光線透過率が９５％以下のポリオレフィン製フィルム３（遮光性フィルム）と、孔径０．１〜５ｍｍの孔を孔の全面積が１ｍ２あたり０．００１〜０．３ｍ２となるように有し、３２５ｎｍの光線透過率が８５％以下のポリオレフィン製フィルム４（紫外線遮断フィルム）とを用い、ポリオレフィン製フィルム４を畝側に設け、該ポリオレフィン製フィルム４を覆うようにポリオレフィン製フィルム３を設けることが、紫外線遮断性能の観点から好ましい。さらに、必要に応じて、ポリオレフィン製フィルム４およびまたはポリオレフィン製フィルム３を開閉することで光線の度合いや、湿度の調整が容易となり、栽培環境の管理の面で好ましい。
【００１３】
ポリオレフィン製フィルムを構成する樹脂としては、公知のポリオレフィンを用いることができる。またポリオレフィン製フィルムの層構成、厚み、製造方法なども特に限定されない。ポリオレフィン製フィルムは本発明の効果を損なわない程度に安定剤、酸化防止剤、保温剤などを含有していてもよい。
【００１４】
ポリオレフィン製フィルムのＨａｚｅは１５％以上、好ましくは２５％以上、さらに好ましくは４０％以上であり、全光線透過率は９５％以下、好ましくは８５％である。Ｈａｚｅおよび全光線透過率を前記のようにすることにより、夏季の光線をより和らげることができる。
ポリオレフィン製フィルムの３２５ｎｍの光線透過率は８５％以下、好ましくは６０％以下、さらに好ましくは３０％以下である。これにより、害虫忌避効果や、作物の劣化防止効果を有するものとなる。
【００１５】
ポリオレフィン製フィルムのＨａｚｅ、全光線透過率および３２５ｎｍの光線透過率を制御する方法は特に限定されない。例えばＨａｚｅを１５％以上とするためには、フィルム表面にエンボス加工を行なう方法や、フィルムを構成する主成分であるポリオレフィンとは屈折率の異なる高分子を添加してフィルムを製造する方法などがある。３２５ｎｍの光線透過率を８５％以下とするためには、例えば公知の紫外線吸収剤を添加してフィルムを製造する方法が挙げられる。
【００１６】
本発明におけるポリオレフィン製フィルムは全て、孔径０．１〜５ｍｍ、好ましくは０．５〜４ｍｍ、より好ましくは１〜３ｍｍ、さらに好ましくは１〜２ｍｍの孔を、孔の全面積が該フィルム１ｍ２あたり０．００１〜０．３ｍ２、好ましくは０．０１〜０．１ｍ２となるように有する。このような孔を有するポリオレフィン製フィルムを用いることにより施設内の湿度を調整し、高温障害を効果的に抑制することができる。特に孔径を１〜２ｍｍとすることにより、畝側に水滴が落ちるのを効果的に防止することができるため好ましい。
【００１７】
孔の配置は、孔径や孔数に応じて適宜選択することができるが、通常孔同士の間隔が１０〜５００ｍｍ程度となるように配置する。孔の配置はランダムでもよく、規則的に配列されていてもよい。孔を有するポリオレフィン製フィルムの製造方法は特に限定されるものではなく、例えば所定の径の針を備えたロールと対向するゴムロールとの間にフィルムを通して孔あけ加工を行なう方法や、上板に所定の径の針を備え、下板に該針の位置に対応した孔を有するプレス装置によって孔をあける方法が挙げられる。
【００１８】
本発明においてポリオレフィン製フィルムは、マルチフィルムで被覆した畝および該畝で栽培する作物を覆うように設けられる。例えば、該ポリオレフィン製フィルムで被覆したトンネルを設けてもよいし、該ポリオレフィン製フィルムで被覆した農業用ハウスを設けてもよい。あるいは他のフィルムで被覆された農業用ハウス内で、カーテンとして前記ポリオレフィン製フィルムを用いてもよい。
【００１９】
通常トンネルを被覆するポリオレフィン製フィルムは、一度展張すると作物の収穫が終了するまで展張したままである。カーテンとしてポリオレフィン製フィルムを用いた場合には、必要に応じて該ポリオレフィン製フィルムをたくしあげる等して使用することができる。よって本発明においては、ポリオレフィン製フィルムを農業用ハウス内のカーテンとして用いることが好ましい。
【００２０】
本発明の作物の栽培方法は、いちごの栽培方法として特に適した方法である。本発明の方法によっていちごを栽培することにより、高温障害や害虫の被害を受けることなく、長期間にわたって良質のいちごを収穫することができる。
【００２１】
また本発明は、マルチフィルムで被覆した畝で作物を栽培するための農業用施設において、前述したような、片面が白色で他面が黒色であるマルチフィルムの黒色面を畝側にして畝を被覆し、かつ前記マルチフィルムで被覆した畝および作物を覆うように、孔径０．１〜５ｍｍの孔を孔の全面積が１ｍ２あたり０．００１〜０．３ｍ２となるように有し、Ｈａｚｅが１５％以上、全光線透過率が９５％以下、３２５ｎｍの光線透過率が８５％以下である前述のポリオレフィン製フィルムを設ける農業用施設である。本発明の農業用施設において作物を栽培することにより、高温障害を抑制し、かつ害虫の発生を抑えることができるため、長期間にわたって良質の作物を栽培することができる。
【００２２】
本発明の農業用施設とは作物を栽培するための施設であればよく、その構造などは特に限定されない。施設内に片面が白色で他面が黒色であるマルチフィルムの黒色面を畝側にして被覆された畝を有し、該被覆された畝および作物を覆うように設けた、例えばポリオレフィン製フィルムで被覆されたトンネルやハウスでもよく、ポリオレフィン製フィルムをカーテンとして有し、他のフィルムで被覆されたハウスでもよい。
【００２３】
【発明の効果】
本発明の作物の栽培方法は、高温障害を抑制し、かつ害虫の発生を抑えて害虫による作物の被害を低減させて作物を栽培することができる方法である。また本発明の農業用施設は、高温障害を抑制し、かつ害虫の発生を抑えて害虫による被害を低減することができるため、作物の栽培に適した施設である。
【００２４】
【実施例】
［実施例１］
インフレーション法で成膜した紫外線吸収剤を含む厚さ０．０７５ｍｍ、巾８０ｃｍ、長さ５０ｍ、Ｈａｚｅ３０％、全光線透過率８３％、３２５ｎｍの光線透過度６０％のポリオレフィン製フィルムの全面に、孔径２ｍｍの孔を孔間隔５ｃｍで千鳥状に、１ｍ２あたり４００個（孔の全面積１２５６ｍｍ２）穿孔加工した。該ポリオレフィン製フィルムを、幅７ｍ、高さ３．５ｍ、長さ５０ｍの農業用ハウスの中にカーテンとして敷設した。ついでクロス状の植付け用切込みを多数有する厚さ２０μｍの、片面が白色であり他面が黒色であるマルチフィルムを、黒色面が畝側になるように畝を被覆した。
マルチフィルムの切込み部から、畝にいちご苗を３月１５日に定植した。８月になっても高温障害を受けることなく、また害虫の異常な発生もなく、５月末から秋口まで安定して良質のいちごを収穫することができた。
【００２５】
［比較例１］
実施例１で使用したものと同じ農業用ハウスにおいて、実施例１の試験の前年度にカーテンとして寒冷紗を使用し、マルチフィルムとして両面ともに黒色のフィルムを使用していちごを栽培したが、高温障害と害虫の発生が多発し、いちごを収穫することができなかった。
【００２６】
［実施例２］
ポリオレフィン製フィルムとして、孔径２ｍｍの孔を１ｍ２あたり４００個有する（孔の全面積１２５６ｍｍ２）３２５ｎｍの光線透過率が２０％のポリオレフィン製フィルム４と、孔径１．５ｍｍの孔を１ｍ２あたり１０００個有するＨａｚｅ５０％、全光線透過率８５％のポリオレフィン製フィルム３を用いた。実施例１で使用したものと同じ農業用ハウスにおいて、カーテンとして、畝側にポリオレフィン製フィルム４を設け、該ポリオレフィン製フィルム４の外側にポリオレフィン製フィルム３を設けた。
ハウス内にある、実施例１と同様にマルチフィルムで被覆された畝でいちごを栽培したところ、８月になっても高温障害を受けることなく、害虫の異常な発生もなかった。またポリオレフィン製フィルム４をたくしあげて地面との間に若干のすきまを設けることで、蜜蜂の飛翔が盛んになり、いちごの収穫量が増えた。また陽光のやや弱い秋口にポリオレフィン製フィルム３を部分的に開くことによって、いちごを秋口まで収穫することができた。
【図面の簡単な説明】
【図１】本発明の作物の栽培方法において、１枚のポリオレフィン製フィルムで被覆したトンネルを用いた例を示す図
【図２】本発明の作物の栽培方法において、２枚のポリオレフィン製フィルムをカーテンとして用いた例を示す図
【符号の説明】
１：ポリオレフィン製フィルム
２：マルチフィルム
３：ポリオレフィン製フィルム（遮光性フィルム）
４：ポリオレフィン製フィルム（紫外線遮断フィルム）
５：ハウス用フィルム
６：作物
７：畝
８：農業用施設
【図１】
2004337058.tif 000003
【図２】
2004337058.tif 000004